(57)【要約】その周波数が入力信号（ＣＫ１）の周波数よりも低い出力信号（ｆｄｉｖ）を形成するための装置（７０）。装置（７０）は、周波数分割セル（７１から７６）から成るチェーンを備え、各周波数分割セル（７１から７６）は、所定の分割比を有するとともに、入力クロック（ＣＫｉｎ）を受けるためのクロック入力部（ＣＫｉ）と、出力クロック（ＣＫｏｕｔ）を次の周波数分割セルに与えるための分割クロック出力部（ＣＫｉ＋１）と、次の周波数分割セルからモード制御入力信号（ＭＤｉｎ）を受けるためのモード制御入力部（ＭＤｉ）と、モード制御出力信号（ＭＤｏｕｔ）を前の周波数分割セルに与えるためのモード制御出力部とを備えている。装置は、前記分割比を変更するためのラッチ（７７）と、２つのラッチ（５１、５２）を有するＤ−フリップフロップ（５０）回路とを更に備えている。第１のラッチ（５１）は第１の信号（ＣＫ３）によってタイム記録され、第２のラッチ（５２）が第２の信号（ＣＫ１）によってタイム記録され、これにより、前記第１の信号（ＣＫ３）の周波数が前記第２の信号（ＣＫ１）の周波数よりも低くなる。
2005508577.tif 000002
【特許請求の範囲】
【請求項１】
入力信号の周波数よりも低い周波数を有する出力信号を発生するための装置であって、
周波数分割セルのチェーンを備え、各周波数分割セルが所定の分割比を有し、前記各周波数分割セルは、
入力クロックを受けるためのクロック入力部と、
出力クロックを次の周波数分割セルに与えるための分割クロック出力部と、
次の周波数分割セルからモード制御入力信号を受けるためのモード制御入力部と、
モード制御出力信号を前段の周波数分割セルに与えるためのモード制御出力部と、
前記分割比を変更するためのラッチと、
２つのラッチを有し、第１のラッチが第１の信号によってタイム記録され、第２のラッチが第２の信号によってタイム記録されるＤ−フリップフロップ回路と、を備え、
これにより、前記第１の信号の周波数が前記第２の信号の周波数よりも低いことを特徴とする装置。
【請求項２】
前記第２の信号は、前記入力信号から引き出されることを特徴とする請求項１に記載の装置。
【請求項３】
前記第１の信号は、前記周波数分割セルのチェーン内の前記分割クロック出力部の一つにおいて引出されることを特徴とする請求項１または２に記載の装置。
【請求項４】
前記Ｄ−フリップフロップ回路は、前記周波数分割セルのチェーン内のモード制御入力部の一つに接続された入力部を有することを特徴とする請求項１または２に記載の装置。
【請求項５】
前記第２のラッチの出力部に与えられた出力信号を処理して、他の出力信号を与える出力回路を備えることを特徴とする請求項１から４のいずれか一項に記載の装置。
【請求項６】
分割される前記入力信号は、前記周波数分割セルから成る前記チェーンの１つの周波数分割セルの入力クロックに加えることができ、
前記周波数分割セルから成る前記チェーンの１つの周波数分割セルの分割クロック出力は、前記周波数分割セルから成る前記チェーンにおける次の周波数分割セルのクロック入力部に接続され、
前記周波数分割セルから成る前記チェーンの１つの周波数分割セルのモード制御入力部は、前記周波数分割セルから成る前記チェーンにおける次の周波数分割セルのモード制御出力部に接続されることを特徴とする請求項１に記載の装置。
【請求項７】
前記周波数分割セルは、２／３分割セルであり、分割比を２と３との間で切換えることができることを特徴とする請求項１または２に記載の装置。
【請求項８】
カレントモード論理で実現されるラッチを備えることを特徴とする請求項１から３のいずれか一項に記載の装置。
【請求項９】
周波数分割セルから成る前記チェーンの各周波数分割セルは、モード制御入力信号と共に前記周波数分割セルの分割比を切換えることができるバイナリコードワードを加えるためのプログラミング入力部を備えることを特徴とする請求項１から３のいずれか一項に記載の装置。
【請求項１０】
周波数分割セルから成る前記チェーンは、ジッパー分割器構成にしたがって実現されることを特徴とする請求項１から９のいずれか一項に記載の装置。
【請求項１１】
請求項１から１０のいずれか一項に記載の装置を備えたことを特徴とする特定のＣＭＯＳシステムにおける送信システムまたは受信システム。
【発明の詳細な説明】
【技術分野】
【０００１】
本発明は、周波数分割器および周波数分割のための装置に関する。特に、この発明は、送信器および受信器での使用に適した、特に無線周波（高周波）信号送信に適したジッパー分割器構成に基づく周波数分割器構成・回路技術に関する。
【背景技術】
【０００２】
近年、標準的な相補形金属酸化物半導体（ＣＭＯＳ）においては、１チップトランシーバへと向う無線周波数（ＲＦ）設計に多大な努力が成されてきている。特に、周波数分割器および周波数合成器−トランシーバにおける重要な構成要素の１つ−のＣＭＯＳ導入は、多くの注意を引き付けた。ここでの最も顕著な傾向は、ジッパー分割器構成および、いわゆる電流モード型論理回路（ＣＭＬ；current-mode logic）である。
【０００３】
周知のジッパー分割器は、同一回路の２／３分割セルのチェーンを含む。５つの端子１１〜１５、すなわち、クロック入力部（ＣＫｉｎ）１１と、分割クロック出力部（ＣＫｏｕｔ）１２と、モード制御入力部（ＭＤｉｎ）１３と、モード制御出力部（ＭＤｏｕｔ）１４と、プログラミング入力部（Ｐ）１５とを有する従来の２／３分割セル１０が図１に示されている。各２／３分割セル１０は、２つの回路ブロック、すなわち、エンドオブサイクル論理(end-of-cycle logic)１７と呼ばれる別のブロックによって発生されるスワロー(swallow signal)信号（ＳＷ）によって制御される２または３で割るプレスケーラー論理ブロック１６から成る。プログラミングビットＰ＝０（ＭＤｉｎ＝１またはＭＤｉｎ＝０）がプログラミング入力部１５に加えられると、セル１０は２で割り、Ｐ＝１かつＭＤｉｎ＝１であると、セル１０は３で割る。
【０００４】
２／３分割セルは、一般に、ＣＭＬで実施される。基本のＣＭＬ論理回路は、幾つかの積層差動対（ｓｔａｃｋｅｄ  ｄｉｆｆｅｒｅｎｔｉａｌ  ｐａｉｒｓ）、２つの負荷抵抗またはアクティブ負荷、１つのテイル電流源を備えている。ＣＭＬが導入されたジッパー分割器に関する更なる詳細は、Ｃ．  ＶａｕｃｈｅｒおよびＺ．  Ｗａｎｇによる「標準的なＣＭＯＳ技術における低電力真モジュラー１．８ＧＨｚプログラマブル分割器」（Ａ  ｌｏｗ−ｐｏｗｅｒ  ｔｒｕｌｙ−ｍｏｄｕｌａｒ  １．８ＧＨｚ  ｐｒｏｇｒａｍｍａｂｌｅ  ｄｉｖｉｄｅｒ  ｉｎ  ｓｔａｎｄａｒｄ  ＣＭＯＳ  ｔｅｃｈｎｏｌｏｇｙ），ＥＳＳＣＩＲＣ"９９．ｐｐ．４０６−４０９，１９９９、および、Ｃ．  Ｖａｕｃｈｅｒ，  Ｉ．  Ｆｅｒｅｎｃｉｃ，  Ｍ．  Ｌｏｃｈｅｒ，  Ｓ．  Ｓｅｄｖａｌｌｓｏｎ，  Ｕ．  Ｖｏｅｇｅｌｉ，及びＺ．  Ｗａｎｇによる「標準的な０．３５ｍｍＣＭＯＳ技術における低電力真モジュラープログラマブル分割器群」（Ａ  ｆａｍｉｌｙ  ｏｆ  ｌｏｗ−ｐｏｗｅｒ  ｔｒｕｌｙ  ｍｏｄｕｌａｒ  ｐｒｏｇｒａｍｍａｂｌｅ  ｄｉｖｉｄｅｒｓ  ｉｎ  ｓｔａｎｄａｒｄ  ０．３５−ｍｍ  ＣＭＯＳ  ｔｅｃｈｎｏｌｏｇｙ），  ＳＣ−３５，  Ｎｏ．７，ｐｐ．１０３９−１０４５，２０００に記載されている。
【０００５】
６分割の２／３セル２１〜２６のチェーンと入力ラッチ２７とを備える周知の周波数分割器２０の一例が図２Ａに示されている。分割器２０は、ＧＨｚ範囲の入力クロック周波数（ＣＫ１）で動作することができる。図２Ｂは、周波数分割器２０の端子信号を示している。図２Ｂの左手側には、クロック入力信号およびクロック出力信号（ＣＫ１〜ＣＫ７）がプロットで示されている。また、右手側には、モード制御信号（ＭＤ１〜ＭＤ６）がＣＫ１と共に示されている。この例において、クロック入力信号およびクロック出力信号（ＣＫ１〜ＣＫ７）の振幅は、−５００ｍＶから＋５００ｍＶ（ピークツーピーク）の範囲にある。これは、分割器２０がＣＭＬで実現されているからである。この例において、大体の場合、セル２１〜２６は、それらの各クロック入力を２で割る。分割比が３である場合、パルス幅は、図２Ｂの左手側に見られるように広い。信号ＣＫ３の場合、例えば、時間ｔ１およびｔ２で、分割比は３である。これは、バイナリワードＰ＝１１１１１１が入力ラッチ２７のプログラミング入力部（Ｐ０〜Ｐ５）に加えられるためである。プログラミング入力部が常にロジック「１」である場合、各セル２１〜２６の分割比は、次のセルによって前段のセルに対して与えられるモード制御信号（ＭＤ）のみにより決定される。
【０００６】
遠距離通信ＩＣ産業における主要な努力は、常に質を向上させることであり、また、製造コストを低減することである。ＧＳＭ等の第２世代から第３世代ＵＭＴＳへと発達するにつれて、猛烈に競争力がある市場においては、新たな革新的技術やテクノロジーが極めて重要となる。新たな技術の１つは、いわゆる分数−Ｎ  ＰＬＬ送信器である。この場合、ＰＬＬは、搬送周波数の生成のためだけでなく、送信される信号の変調のためにも使用される。このアプローチの利点は、搬送波に近い非常に低レベルの位相ノイズおよび製造コストのかなりの低減を伴う比較的偽りの無い出力スペクトルを含んでいるという点である。
【０００７】
このＰＬＬ送信器における重要な構成要素の１つは、周波数分割器である。そのＣＭＯＳ実施の最近の傾向は、前述したジッパー分割器構成をＣＭＬと組み合わせて利用することである。分割器の２つの重要な性能パラメータは、電力消費量および出力スペクトル純度である。
【０００８】
低電力用途において、電力消費量を最大で５０％低減できる分割器構成は、「電力消費量の低減を伴う改良された周波数分割器、それに基づく装置、電力効率が良い周波数分割のための方法」（ＩＭＰＲＯＶＥＤ  ＦＲＥＱＵＥＮＣＹ  ＤＩＶＩＤＥＲ  ＷＩＴＨ  ＲＥＤＵＣＥＤ  ＰＯＷＥＲ  ＣＯＮＳＵＭＰＴＩＯＮ，ＡＰＰＡＲＡＴＵＳ  ＢＡＳＥＤ  ＴＨＥＲＥＯＮ，  ＡＮＤ  ＭＥＴＨＯＤ  ＦＯＲ  ＰＯＷＥＲ  ＥＦＦＩＣＩＥＮＴ  ＦＲＥＱＵＥＮＣＹ  ＤＩＶＩＳＩＯＮ）と題された同時係属特許出願で提案されている。この同時係属特許出願は、２０００年１２月２２日に出願され、現在、本特許出願の譲受人に譲渡されている。出願番号００１２８３２２．５が与えられた。
【０００９】
周波数領域でスペクトル純度について説明するために位相ノイズが使用される一方で、時間領域でスペクトル純度について説明するために、尺度としてジッターが使用される。ジッターは、閾値にわたる信号の移行を変える回路ノイズによって生じる。ジッターは、図２Ａのジッパー分割器２０の全てのセル内に存在する。この種の分割器２０の非同期的な性質により、ジッターは、前記チェーンの左から右へと信号経路に沿って累積する。この作用は、ジッター累積と呼ばれる。例えば信号ＭＤ４が出力部２８（図３参照）で取得されると、経路に沿う全てのジッターは、以下のごとく累積する。
Ｊ２ＯＵＴ＝Ｊ２ＩＮ＋Ｊ２Ｃ１＋Ｊ２Ｃ２＋Ｊ２Ｃ３＋Ｊ２Ｃ４＋Ｊ２Ｍ４
【００１０】
ここで、ＪＩＮは、入力ＣＫ１に関連付けられたジッターの標準偏差であり、ＪＣ１は、セルｉによってその出力ＣＫ（ｉ＋１）に加えられたジッターの標準偏差であり、ＪＭ４は、図３に示されるようにセル２５によってＭＤ４に加えられたジッター偏差である。ジッパー分割器２０においては電流消費量が減り、同時に、周波数に伴って抵抗負荷がセル毎に増大するため、１つのセルによって加えられるジッターは、その前のセルによって加えられるジッターよりも大きい。
【００１１】
周波数分割器、オシレータ、周波数合成器等において、ジッターは、主要な感心事である。これは、僅かなジッターでさえもこれらの回路に導入すると、その周波数スペクトルおよびタイミング性能が劇的に変化し、これにより、ＳＮ比が低下して、ビットエラーレートが増大し、隣接するチャンネルと大きく干渉するためである。また、ジッターは、タイム記録され且つサンプリングされるデータシステムにおいても重要である。これは、大抵の場合、ゼロ交差が情報を含んでおり、そのため、切換え瞬間時の任意の不確定要素がエラーを引き起こすからである。
【００１２】
現在まで、一般にスペクトル純度、特にジッター累積は、ＣＭＬのジッパー分割器回路の設計の際に真剣に考慮されていない。
【００１３】
したがって、本発明の目的は、現在の分割器回路を改良することである。
【００１４】
本発明の他の目的は、ジッターの低減または除去を伴う周波数分割器を提供することである。
【００１５】
本発明の他の目的は、スペクトル純度が向上された周波数分割器を提供することである。
【発明の概要】
【００１６】
ここでは、新規なリクロッキングおよびダブルリクロッキングを有する新規な周波数分割器構成を提供する。新規な構成および技術は、周知のジッパー分割器構成を基本としている。
【００１７】
本発明に係る装置は、その周波数が入力信号の周波数よりも低い出力信号を形成するのに適している。各装置は、周波数分割セルから成るチェーンを備え、各周波数分割セルは、所定の分割比を有するとともに、入力クロックを受けるためのクロック入力部と、出力クロック（ＣＫｏｕｔ）を次の周波数分割セルに与えるための分割クロック出力部と、次の周波数分割セルからモード制御入力信号を受けるためのモード制御入力部と、モード制御出力信号を前の周波数分割セルに与えるためのモード制御出力部とを備えている。装置は、前記分割比を変更するためのラッチと、２つのラッチを有するＤ−フリップフロップとを更に備えている。第１のラッチは第１の信号によってタイム記録され、第２のラッチが第２の信号によってタイム記録され、これにより、前記第１の信号の周波数が前記第２の信号の周波数よりも低くなる。
【００１８】
様々な有利な実施の形態が請求項２から１０で請求されている。
【００１９】
本発明に係る装置は、請求項１１に請求されているように、特に、送信器システムまたは受信器システムでの使用に良く適している。
【００２０】
ダブルリクロッキング技術は、前記問題を解消し且つ信頼できる動作を確保するために案出されている。
【００２１】
ここで提供される周波数分割器構成によれば、様々な種類の回路、特にジッパー分割器回路等の非同期回路のジッターを低減し又は除去することができる。本発明に係るダブルリロッキングは、非常に有効で且つ強力な技術である。
【００２２】
本発明の他の利点は、詳細な実施の形態に関連して扱われる。
【００２３】
本発明を更に完全に記載するため、また、本発明の更なる目的および利点のため、添付図面を参照しながら、以下の説明を参照する。
【好適な実施の形態の説明】
【００２４】
簡易化のため、様々な図面における一部の信号線は、１つの終端した信号線として示されている。実際には、多くの信号は、差動的であり、実際に２つの信号線となっている。他の信号は、幾つかのビット幅であるデジタル信号であっても良い。
【００２５】
以下においては、図２Ａおよび図３を参照する。ジッター（波形が不規則に乱れる）が低いデザインのためには、信号ＭＤ１を出力として取得することが好ましい。残念ながら、幾つかのタイミングに関する制約に起因して、分割器の出力信号（ｆｄｉｖ）は、しばしば、分割器チェーン２０の中央のどこかで引き出される。例えば現在開発中のブルートゥーストランシーバの場合、分割器出力（ｆｄｉｖ）は、ＭＤ４（図３参照）で引き出される。その結果、出力（ｆｄｉｖ）でのジッターは、非常に大きく、殆どの用途で受け入れることができなくなる場合がある。
【００２６】
周知のリクロッキング技術は、そのような装置で役に立たないことが分かっている。リクロッキングは、ジッターを減少させるために使用される技術である。リクロッキングプロセスは、図４Ａに示されるＤ−フリップフロップ（ＤＦＦ）３０をタイム記録する（ｃｌｏｃｋ）ためにジッター信号を殆ど必要としない。一方、ジッター信号は、ＤＦＦ３０のデータ入力３１に加えられる。リクロッキングにより、新たな出力部３２でのジッターは、ＤＦＦ３０によって加えられるジッター＋クロック信号のジッターまで減少する。図２Ａまたは図３のジッパー分割器の場合には、図４Ａに示される方法でリクロッキングが行なわれる。この場合、ＤＦＦ３０のクロッキング入力部３３で加えられるクロックＣＫ１は、ジッターが無いと考えられる。残念ながら、ここでは、リクロッキングスキームがＤＦＦ３０の３１、３３に加えられる２つの入力信号間の明確なタイミング関係を必要としているため、機能しない。このようなことは、通常、同期回路及びタイミング関係がうまく制御された非同期回路のためだけの場合である。
【００２７】
ＭＤ４とＣＫ１との間のタイミング関係は、主に、関連する全てのセル２１から２５の遅れによって決定される。関連するセルが多ければ多いほど、全体の遅れも大きくなる。ジッターの影響を無視することにより、ＣＫ１に対するＭＤ４の遅れは、以下のように表わされる。
ＤＯＵＴ＝ＤＣ１＋ＤＣ２＋ＤＣ３＋ＤＣ４＋ＤＭ４
同様に、スケーリングにより、
ＤＣ１＜ＤＣ２＜ＤＣ３＜ＤＣ４
【００２８】
なお、ＣＫ１とＣＫ５との間の周波数の差は、少なくとも１６である。また、信号遅れは、供給電力、温度、プロセス、不一致等の多くの因子の影響を受け易く、これにより、正確な制御下でＭＤ４とＣＫ１との間にタイミング関係をもたらすことは、むしろ難しくなる。図４Ｂに示されるシナリオが起こる場合がある。時間ｔ１およびｔ３におけるＤＦＦ３０のＱ状態はそれぞれ、ロジック０およびロジック１であるが、時間ｔ２における出力は、瞬間のジッターにより、ロジック０またはロジック１となる可能性がある。これは、この瞬間ｔ２における入力ＭＤ４がＤＦＦ３０の閾値にあるからである。ジッターが非常に少ない場合であっても、結果として生じるエラーは、ジッターそれ自体よりも莫大に大きくなる虞がある。したがって、この種のエラーは、破滅的であり、避けなければならない。予備的なシミュレーション結果によれば、そのような破滅的なエラーの可能性は７％であり、殆どの用途で絶対的に受け入れることができない値である。前述した理由により、ＤＦＦ３０をトリガするために立下りに変更することも、あるいは、ＭＤ４を予め増幅することも、この場合には役に立たないことが分かっている。
【００２９】
図５は、従来の分数−Ｎ  ＰＬＬ送信器４０の基本的な構成要素を示している。略語ＰＬＬはフェーズ・ロックループを表わしている。変調データは、Σ／Δ変調器４１を介して、周波数分割器４２に加えられる。周波数分割器は、整数分割比を可能にし、Σ／Δ変調器（Ｓ／Ｄ変調器とも呼ばれる）４１と共に分数−Ｎ分割器を構成する。また、分数−Ｎ  ＰＬＬ送信器４０は、基準周波数（ｆｒｅｆ）のための入力部と、入力信号ｆｒｅｆとＰＬＬフィードバック信号ｆｄｉｖとの比較に基づいてエラー信号を出力部４９で形成する位相／周波数検出器（ＰＥＤ）４８とを備えている。周波数分割器４２の係数を制御するために、入力データは、搬送周波数（ｆｃ）および通信チャンネル４７を介して送信される信号の両方の情報（入力データ）を含んでいる。その結果、電圧制御オシレータ（ＶＣＯ）４４の出力部４３における出力信号は、所望の搬送周波数（ｆｃ）の変調された高周波（ＲＦ）信号である。この信号は、増幅器（ＰＡ）４５およびアンテナ４５を介して、通信チャンネル４７に送信される。ＶＣＯ４４の出力部４３における出力信号は、ＰＬＬフィードバック信号ｆｄｉｖを形成するために使用される。
【００３０】
ここで、ダブルリロッキング技術と称される本発明の基本的な原理について、図６Ａおよび図６Ｂを参照しながら説明する。図６Ａに示されるように、ダブルリロッキングは、１つのＤＦＥ５０を用いて行なうことができる。このＤＦＦは、図４Ａに比べてこれを超えるものが存在しない程度に１つのＤＦＦと等価な２つのＤ−ラッチ５１、５２を備えている。しかしながら、重要な差が存在する。図４Ａにおいて、ＤＦＦ３０は、本発明にしたがってＣＫ１によりタイム記録されるが、第１のラッチ５１および第２のラッチ５２は、２つの異なる信号によってタイム記録される。この実施の形態における第１のラッチ５１は、クロッキング入力部５３に信号ＣＫ３を加えることによってタイム記録され、第２のラッチ５２は、クロッキング入力部５４に信号ＣＫ１を加えることによってタイム記録される。両方のラッチ５１、５２は、信号ＣＫ３、ＣＫ１の立下りでトリガされる。このような実施によれば、周波数分割器の実施を大きく向上させることができる。
【００３１】
図６Ｂは、供給電圧Ｖｄｄで動作するように設計されたＣＭＬにおけるＤＦＦ５０のＣＭＯＳの実施を示している。図６Ａに示されると同様に、２つのラッチ５１、５２を確認できる。動作原理は簡単である。信号ＣＫ３がロジック・ロー（ｌｏｇｉｃ  ｌｏｗ）である場合、そのゲートが逆ＣＫ３入力部６０に接続されるＭＯＳトランジスタＴ１がＯＮするとともに、そのゲートがＣＫ３入力部６１に接続されるＭＯＳトランジスタＴ２がＯＦＦする。そのため、ラッチ５１の全てのテイル電流は、ラッチの左側分岐部へと流れ、Ｑ１出力部６２における信号は、ＤＦＦ５０の入力部５５における信号と等しくなる。すなわち、Ｑ１＝ＭＤ４となる。信号ＣＫ３がロジック０からロジック１に切換えられると、ラッチの左側分岐部がＯＦＦされ、テイル電流がラッチの右側分岐部へと流れる。これにより、入力部５５における信号ＭＤ４が変化した場合であっても、先の状態が維持される。第２のラッチ５２も同様の方法で動作する。
【００３２】
ダブルリクロッキング技術を備える分数−Ｎ分割器７０の第１の適用／実施が図７Ａに示されている。２．５ＧＨｚで動作するＣＭＯＳブルートゥーストランシーバを設計するべく本発明によれば、周波数分割器７０はダブルリクロッキングを組み込んでいる。例えば、周波数分割器７０を図５の周波数分割器４２に取って替えることができる。分数−Ｎ分割器７０は、Ｎ／Ｍセル７１から７６によって６分割されたチェーンと、入力ラッチ７７とを備えている。この実施の形態において、ＤＦＦ５０の出力信号Ｑ２は、分数−Ｎ分割器７０の出力信号ｆｄｉｖとしての機能を果たす。
【００３３】
図７Ｂは、周波数分割器７０の幾つかのシミュレートされた端子信号（ＣＫ１、ＣＫ３、ＭＤ４、Ｑ１、Ｑ２、ｆｄｉｖ、ｍｄ４）を示している。最も上側のグラフは、第１のラッチ５１の信号（ｍＶ）と時間（ｔ）との関係を示している。下側のグラフは、第２のラッチ５２の信号（ｍＶ）と時間（ｔ）との関係を示している。
【００３４】
分数−Ｎ分割器７０は、その周波数が入力信号ＣＫ１の周波数よりも低い出力信号ｆｄｉｖを発生することができる。図７Ａに示されるように、分数−Ｎ分割器７０は、周波数分割セル７１から７６から成るチェーンを備えている。各周波数分割セル７１から７６は、例えば図１に示されるように、５つの端子Ｃｋｉｎ、Ｃｋｏｕｔ、Ｍｄｏｕｔ、Ｍｄｉｎ、Ｐを有している。
【００３５】
周波数分割セル７１から７６は、所定の分割比（Ｍ／Ｎ、例えば２／３、ここで、Ｍ＝２、Ｎ＝３）を有している。５つの端子のうちの１つは、入力クロック（ＣＫｉｎ）を受けるためのクロック入力部として機能する。他の１つの端子は、出力クロック（ＣＫｏｕｔ）を次の周波数分割セルに与えるための分割クロック出力部である。他の１つの端子は、次の周波数分割セルからモード制御入力信号（ＭＤｉｎ）を受けるためのモード制御入力部である。更に他の１つの端子は、モード制御出力信号（ＭＤｏｕｔ）を前の周波数分割セルに与えるモード制御出力部である。端子Ｐにより、各セルの分割比Ｍ／Ｎを変更することができる。ラッチ７７は、各周波数分割セル７１から７６の分割比を変更するために設けられている。Ｄ−フリップフロップ５０回路が設けられている。Ｄ−フリップフロップ５０の回路は、２つのラッチ５１、５２を備えている。第１のラッチ５１は第１の信号ＣＫ３によってタイム記録され、第２のラッチ５２は第２の信号ＣＫ１によってタイム記録される。両方のクロック信号は、周波数分割チェーン７１から７６内で引き出される。図７Ａに示される実施の形態においては、セル７２とセル７３との間で第１の信号が引き出され、セル７１の入力側で第２の信号ＣＫ１が引き出される。第１の信号ＣＫ３の周波数は、第２の信号ＣＫ１の周波数よりも低い。すなわち、ｆＣＫ３＜ｆＣＫ１（例えば、図２Ｂ参照）である。この実施の形態において、セル７４とセル７５との間で引き出された信号ＭＤ４は、ＤＦＦ５０の入力部５５に加えられる。なお、信号ＭＤ４と信号ＣＫ３との間のタイミング関係および信号ＣＫと信号ＣＫ１との間のタイミング関係は、制御可能である。これは、２つの信号対（ＭＤ４、ＣＫ３およびＣＫ３、ＣＫ１）の両方が、周波数分割セル７１から７６から成るチェーン内の端子で引き出され、４個以上のセル分だけ離れていないためである。これらの信号対の信号が引き出される端子は、２個以上のセル分だけ離れていないことが好ましい（例えば、図７Ａまたは図８参照）。
【００３６】
従来のフルスイングＤＦＦが使用される他の回路に関連し、発明に従い、ダブルリクロッキングを使用すると、適切な動作において、ロースイング差動ＣＭＬ信号がフルスイング差動ＣＭＬ信号に変換された。特定の位相周波数検出器（例えば、図５のＰＦＤ４８）は、従来のフルスイングＤＦＦも用いて形成されても良い。フルスイング信号への変換は、図８に示される変換器８８によって行なわれても良い。図８に示される実施の形態において、出力回路８８、８９は、ＤＦＦ５０の出力信号Ｑ２を処理して、他の出力信号ｆｄｉｖを形成するために設けられている。信号ｆｄｉｖは、例えば図５に示されるように、ＰＦＤ４８に供給されても良い。
【００３７】
周波数分割セル８１から８６は、所定の分割比（２／３）を有している。ラッチ８７は、各周波数分割セル８１から８６の分割比を変更するために設けられている。Ｄ−フリップフロップ５０回路が使用されている。Ｄ−フリップフロップ５０の回路は、２つのラッチ５１、５２を備えている。第１のラッチ５１は第１の信号ＣＫ３によってタイム記録され、第２のラッチ５２は第２の信号ＣＫ１によってタイム記録される。両方のクロック信号は、周波数分割チェーン８１から８６内の端子から引き出される。図８に示される実施の形態においては、セル８２とセル８３との間で第１の信号ＣＫ３が引き出され、セル８１の入力側で第２の信号ＣＫ１が引き出される。第１の信号ＣＫ３の周波数は、第２の信号ＣＫ３の周波数よりも高い。すなわち、ｆＣＫ３＞ｆＣＫ１である。この実施の形態において、セル８３とセル８４との間で引き出された信号ＭＤ３は、ＤＦＦ５０の入力部５５に加えられる。なお、信号ＭＤ３と信号ＣＫ３との間のタイミング関係および信号ＣＫ３と信号ＣＫ１との間のタイミング関係は、制御可能である。これは、２つの信号対（ＭＤ３、ＣＫ３およびＣＫ３、ＣＫ１）の両方が、周波数分割セル８１から８６から成るチェーン内の端子で引き出され、２個以上のセル分だけ離れていないからである。
【００３８】
なお、ダブルリクロッキングの後、第２のラッチ５２、変換器８８、及びＮＯＲゲート８９だけが出力信号ｆｄｉｖにジッターを加える。最後の２つの項目は、避けることができず、リクロッキングが全く無くても既に存在する。しかしながら、これらのゲートによって発生されたジッターは、適切な設計によって最小限に抑えることができ、これにより、出力信号ｆｄｉｖのジッターを殆ど無くすことができる。
【００３９】
ここで示されるダブルリクロッキングスキームによれば、重要なタイミング関係が２つの別個の項目、すなわち、ＭＤ４とＣＫ３との間（あるいは、ＭＤ３とＣＫ３との間；図８参照）のタイミング、およびＣＫ３とＣＫ１との間のタイミングへと都合良く大きく減少する。これら両方のタイミング関係は、簡単に制御可能となる。また、ここで、周波数の差は、１６ではなく、４であり（セル７１から７６が２／３セルである場合）、これにより、ラッチの閾値を中心にリロッキングを行なうことを回避でき、したがって、破滅的なエラーが生じることを防止できる。
【００４０】
ここでは、ダブルリクロッキングの非常に信頼できる力強い動作について明らかにしてきた。特定の状況下においては、ダブルリクロッキングによりジッターが完全に除去される。
【００４１】
なお、ジッターが小さく特定の範囲内にある場合、このリクロッキングスキームにより、ジッターをうまく低減し或は除去することもできる。
【００４２】
同期回路に制限される既存のリクロッキング技術の場合、制限は、クロック信号の期間に相当する。このことは、クロッキング周波数が許容されたジッターの上限を設定することを意味する。提案されたダブルリクロッキングの場合、クロックの期間よりも長いジッターであっても完全に除去されることが分かった。
【００４３】
したがって、ダブルリクロッキングは、図７Ａのジッパー分割器７０または図８のジッパー分割器８０のような非同期回路のジッターを低減または除去するための技術だけではなく、既存のリクロッキング技術ではあまりにも大き過ぎるようなジッターを扱うことができる技術でもある。この顕著な特徴は、既存の従来のリクロッキング技術よりもずっと幅広い適用範囲があるため、非常に望ましい。
【００４４】
本発明に係るダブルリクロッキングは、非同期回路におけるジッターを低減または除去するために非常に有効であり、強力な技術である。
【００４５】
ここに示されたダブルリクロッキングを使用すると、従来のリクロッキングに比べて１０以上の因子を容易に向上させることができる。実施に応じて、１０００以上の要因を向上させることもできる。
【００４６】
なお、提案された構造は、例外無く、任意の数のセルを有する周波数分割器に適用することができる。
【００４７】
本発明は、通信システムおよび正確な周波数信号ｆｄｉｖを形成する必要がある他のシステムでの使用に適している。本発明は、送信器および受信器での使用に適している。本発明は、特に、１チップＣＭＯＳトランシーバでの使用に良く適している。本発明に係るシステムは、携帯電話（例えば、ＧＳＭまたはＵＭＴＳ）、ＤＥＣＴハンドセット、パーソナル通信システム、まさに一例として言及したブルートゥース装置において使用することができる。
【００４８】
本発明に係る周波数分割器は、他の回路と組み合わせて、トランシーバ、高周波（ＲＦ）集積回路（ＩＣ）、ＧＳＭソリューション、ＤＥＣＴ装置、ＰＣＳ、ブルートゥースソリューションの出力効率が高い実施を実現することができる。
【００４９】
明確にするために別々の実施の形態として説明した本発明の様々な特徴は、単独の実施の形態において組み合わされた状態で与えられても良いことは言うまでもない。逆に言うと、単独の実施の形態との関連で略して説明した本発明の様々な特徴は、別々に、または、任意の適当なサブコンビネーションで与えられても良い。
【００５０】
本発明の好ましい実施の形態を記載した図面および明細書においては、特定の用語が使用されているが、このようにして与えられた説明は、包括的且つ記述的な意味でのみ専門用語を使用しており、限定する目的のものではない。
【図面の簡単な説明】
【００５１】
【図１】２つの論理ブロックを備える従来の２／３分割セルである。
【図２Ａ】２／３分割セルで６分割された従来のジッパー分割器構成である。
【図２Ｂ】図２Ａの従来のジッパー分割器構成のモード制御信号およびクロック信号を示す図である。
【図３】ジッター累積を示すために使用される従来のジッパー分割器構成の概略図である。
【図４Ａ】リクロッキングのために使用される従来のＤＦＦの概略図である。
【図４Ｂ】破滅的なエラーが生じるシナリオを示している。
【図５】従来の分数−Ｎ  ＰＬＬ送信器の概略図である。
【図６Ａ】本発明にしたがって２つのラッチを使用するＤＦＦの概略図である。
【図６Ｂ】図６Ａに係るＤＦＦのＣＭＯＳの実施の形態の概略ブロック図である。
【図７Ａ】本発明に係る周波数分割器の概略図である。
【図７Ｂ】図７Ａの周波数分割器の信号を示す図である。
【図８】本発明に係る他の周波数分割器の概略図である。
【符号の説明】
【００５２】
２０  分割器チェーン
２１〜２６  ２／３分割セル
３０  Ｄ−フリップフロップ
５０  ＤＦＥ
５１，５２  ラッチ
７０  周波数分割器
７１〜７６  Ｎ／Ｍセル
８１〜８６  周波数分割セル
【図１】
2005508577.tif 000003
【図２Ａ】
2005508577.tif 000004
【図２Ｂ】
2005508577.tif 000005
【図５】
2005508577.tif 000006
【図６Ａ】
2005508577.tif 000007
【図７Ａ】
2005508577.tif 000008
【図８】
2005508577.tif 000009
【国際公開パンフレット】
2005508577.tif 000010
2005508577.tif 000011
2005508577.tif 000012
2005508577.tif 000013
2005508577.tif 000014
2005508577.tif 000015
2005508577.tif 000016
2005508577.tif 000017
2005508577.tif 000018
2005508577.tif 000019
2005508577.tif 000020
2005508577.tif 000021
2005508577.tif 000022
2005508577.tif 000023
2005508577.tif 000024
2005508577.tif 000025
2005508577.tif 000026
2005508577.tif 000027
2005508577.tif 000028
2005508577.tif 000029
2005508577.tif 000030
2005508577.tif 000031
【国際公開パンフレット（コレクトバージョン）】
2005508577.tif 000032
【国際調査報告】
2005508577.tif 000033
2005508577.tif 000034
2005508577.tif 000035